(57)【要約】【課題】けられを防止するレンズフードを提供する。【解決手段】デジタルカメラ２はレンズユニット４とカメラ本体３とからなる。レンズ鏡筒４にはレンズフード１７が着脱自在に装着される。レンズフード１７には、被写体光を距離情報に光電変換する測距センサ９０と、測距センサ９０からの距離情報を外部に伝送する出力端子とを備える。レンズ鏡筒４の前端には接続端子が備えられており、バヨネット機構を解してレンズフード１７がレンズ鏡筒４に装着されると、出力端子は接続端子に接続される。レンズフード１７は測距センサ９０のほかに、調光センサ９２、フラッシュ装置９４などを備える。調光センサ９２によって被写体の輝度が検知され、フラッシュ装置９４は被写体の輝度に応じて発光量が制御される。【選択図】図２
2007171505.tif 000002
【特許請求の範囲】
【請求項１】
レンズ鏡筒の先端に着脱自在に装着されるレンズフードにおいて、
一対の被写体光をそれぞれ受光素子で受けて距離情報に変換する測距センサと、
前記測距センサで取得された距離情報を外部に伝送する伝送手段とを備えたことを特徴とするレンズフード。
【請求項２】
前記測距センサは被写体からの反射光を受光して前記距離情報を取得しており、被写体に光を照射するフラッシュ装置を設けたことを特徴とする請求項１記載のレンズフード。
【請求項３】
前記フラッシュ装置の発光レベルを調節するための調光センサを設けたことを特徴とする請求項２記載のレンズフード。
【請求項４】
前記被写体からの紫外線の強度を測るための紫外線センサを設けたことを特徴とする請求項１ないし３いずれか１つ記載のレンズフード。
【請求項５】
請求項１ないし４いずれか１つ記載のレンズフードを着脱自在に装着し、前記レンズフードからの距離情報を受けて前記測距センサの向きを調整する調整手段を備えたことを特徴とするカメラ。
【発明の詳細な説明】
【技術分野】
【０００１】
本発明は、レンズ鏡筒に取り付けられるレンズフード及びこのレンズフードが装着されるカメラに関するものである。
【背景技術】
【０００２】
カメラで被写体を撮影する際、正規の画角以外から、たとえば太陽や蛍光ランプなどの光源からの光がレンズ鏡筒に保持された撮影レンズに入射されると、撮影画像にゴーストやフレアを生じさせる原因となる。このような正規の画角以外から入射される有害光を遮蔽するために、レンズ鏡筒の先端部に有害光を遮蔽するためのレンズフードが着脱自在に装着される。レンズフードをレンズ鏡筒の先端部に着脱自在に装着する機構としては、例えばバヨネット機構が多用され、これによって誤差を低減しつつレンズフードをレンズ鏡筒に容易に装着することができた。
【０００３】
一方、近年は多くのカメラにオートフォーカス機能が搭載されている。周知のようにオートフォーカスにはアクティブ方式とパッシブ方式とがあり、パッシブ方式はカメラに備えられた測距センサからの距離情報からデフォーカス量を求める位相差方式と、イメージセンサによって取得された被写体画像のコントラストを基にピントを合わせるコントラスト方式とがある。一般に位相差方式のオートフォーカスはピント合わせに要する時間が短く、コントラスト方式のオートフォーカスはピント合わせの精度が高い。
【発明の開示】
【発明が解決しようとする課題】
【０００４】
ところで、ユーザによってカメラが把持される際、カメラに設けられたオートフォーカスセンサがユーザの手に覆われた場合、距離情報が取得されずデフォーカス量を算出することができず、このためにピント合わせに失敗してしまうことがあった。
【０００５】
本発明は上記の事情に鑑みてなされたものであり、ユーザによって把持されることの少ないレンズフードから着想を得ており、その目的は、オートフォーカス実行時のけられを防止することにある。
【課題を解決するための手段】
【０００６】
上記の目的を達成するために、本発明のレンズフードでは、レンズを保持するレンズ鏡筒の先端に着脱自在に装着されるレンズフードにおいて、一対の被写体光をそれぞれ受光素子で受けて距離情報を取得する測距センサと、測距センサで取得された距離情報を伝送する伝送手段とを備えたことを特徴とする。
【０００７】
また、測距センサは被写体からの反射光を受光して距離情報を取得しており、被写体に光を照射するフラッシュ装置を設けたことを特徴とする。
【０００８】
また、フラッシュ装置の発光レベルを調節するための調光センサを設けたことを特徴とする。
【０００９】
また、紫外線の強度を測るための紫外線センサを設けたことを特徴とする。
【００１０】
また、本発明のカメラでは、レンズフードを着脱自在に装着し、前記レンズフードからの距離情報を受けて測距センサの向きを調整する調整手段を備えたことを特徴とする。
【発明の効果】
【００１１】
本発明のレンズフードによれば、レンズを保持するレンズ鏡筒の先端に着脱自在に装着されるレンズフードにおいて、一対の被写体光をそれぞれ受光素子で受けて距離情報を取得する測距センサと、測距センサで取得された距離情報を伝送する伝送手段とを備えたことにより、カメラのレンズ鏡筒の先端に装着されるレンズフードに測距センサ、及び測距センサで取得された距離情報を外部に伝送するための伝送手段が備えられているため、ユーザがカメラを把持したときにけられが発生することを防止することができる。
【００１２】
また、測距センサは被写体からの反射光を受光して距離情報を取得しており、被写体に光を照射するフラッシュ装置を設けたことにより、確実に被写体に光を照射することができる。
【００１３】
また、フラッシュ装置の発光レベルを調節するための調光センサを設けたことにより、フラッシュ装置の発光レベルを調節して、良好な被写体光を得ることができる。
【００１４】
また、紫外線の強度を測るための紫外線センサを設けたことにより、紫外線センサからの測定信号を基にして屋内と屋外の判別を正確に行うことができる。
【００１５】
また、本発明のカメラでは、レンズフードを着脱自在に装着し、前記レンズフードからの距離情報を受けて測距センサの向きを調整する調整手段を備えたことにより、測距センサの向きを容易に調整し、良好なオートフォーカスを実行するカメラを提供することができる。
【発明を実施するための最良の形態】
【００１６】
図１に示すように、本発明の電子カメラであるデジタルカメラ２の前面には撮影レンズ８が設けられ、デジタルカメラ２の上部には、画像データの記録を開始させるために押圧操作されるシャッタボタン５、静止画撮影、動画撮影などのデジタルカメラ２のモードを変更するために回動操作されるモードダイヤル６、前方にストロボ光もしくはＡＦ補助光を照射する発光部７等が設けられている。なお、図示しないが、デジタルカメラ２の側部には、ＵＳＢポート、ＩＥＥＥ１３９４ポート、ビデオ端子等が備えられている。
【００１７】
図２に示すように、デジタルカメラ２はカメラ本体３とレンズ鏡筒４とから構成されている。レンズ鏡筒４の外形は略円柱形状に形成され、その一端からは撮影レンズ８が露呈し、その内部にはＣＣＤイメージセンサ２０等が組み込まれている。レンズ鏡筒４の他端にはカメラ本体３と組み合わせるための鏡筒側マウント部１５が形成されている。レンズ鏡筒４の腹部にはレンズ鏡筒４がカメラ本体３から分離されたときに、例えば平らな場所に載置できるように支持部（図示省略）が形成されている。また、図示は省略するがレンズ鏡筒４にはカメラ本体３と無線通信するためのアンテナが設けられている。
【００１８】
レンズ鏡筒４を覆う外装カバーの内側には、撮影レンズ８を保持するレンズ保持枠、このレンズ保持枠を光軸方向に移動可能に保持するレンズ鏡筒、オプティカルローパスフィルタ（図示省略）、後述するＲＯＭ等が実装された回路基板等が組み込まれている。撮影レンズ８の像面側には、入射光量を調節するアイリス、メカシャッタ、オプティカルローパスフィルタ、ＣＣＤイメージセンサ２０の順に配置されている。レンズ保持枠を光軸方向に移動させるモータにはフォーカシング用レンズを移動させるオートフォーカスモータ（以降、ＡＦモータと言う）やズームレンズを移動させるズームモータが含まれ、ＡＦモータ、ズームレンズモータ、アイリスモータはそれぞれモータコントローラによって駆動が制御されている。ＣＣＤイメージセンサ２０は、例えば縦７２０画素で横が９６０画素からなり、撮影レンズ８の有する光軸と垂直に配置されている。ＣＣＤイメージセンサ２０が設けられた副回路基板は主回路基板とフレキシブル回路基板を介して接続されている。主回路基板にはＲＯＭのほか、上記のモータコントローラが設けられている。なお、ＣＣＤイメージセンサ２０は縦７２０画素、横９６０画素のものに限らない。
【００１９】
カメラ本体３の前面には、レンズ鏡筒４に形成された鏡筒側マウント部１５を嵌め込むためのカメラボディ側マウント部１２が形成されている。カメラボディ側マウント部１２の近くにはレンズ鏡筒４をカメラ本体３から取り外す際に押圧操作されるマウント解除ボタン１４が設けられており、マウント解除ボタン１４を押すことでレンズ鏡筒４をカメラボディ側マウント部１２から分離させることが可能となる。
【００２０】
鏡筒側マウント部１５には、例えば３個のバヨネット爪が形成され、カメラボディ側マウント部１２にはレンズ側のバヨネット爪に対応したバヨネット係合爪が形成されている。鏡筒側マウント部１５には複数の接点（図示省略）が設けられ、カメラボディ側マウント部１２には接続端子に接触する図示しない端子が設けられている。これら接点及び端子は後述するシリアルＩ／Ｆとともに有線通信を可能にしており、レンズ鏡筒４がカメラ本体３に装着されたときに互いに接触してレンズ鏡筒４とカメラ本体３とが電気的に接続された状態となる。
【００２１】
カメラ本体３の背面には、被写体のスルー画像やメニュー画像を表示する後述する液晶パネル、液晶パネルのＯＮ／ＯＦＦを切り替えるための表示ボタン、液晶パネルに表示されたメニュー画像の中から、適当な項目を選択する際に操作される十字操作ボタン、メニュー画面の表示や確認時に押される実行ボタン等が備えられている。モードダイヤル６が操作されることにより、デジタルカメラ２を静止画撮影モード、動画撮影モード、夜間撮影モードストロボ撮影モード、後述する測距センサの向きを調整するための調整モードなどに順次切り替えることができる。
【００２２】
レンズ鏡筒４の前端には、有害光を除去するレンズフード１７が着脱自在に取り付けられるようになっている。レンズフード１７はバヨネット機構を介してレンズ鏡筒４の前端部に装着され、これによりレンズフード１７はレンズ鏡筒４に高精度に装着されるようになっている。レンズ鏡筒４の前端の外周には、接続端子１８が設けられており、この接続端子１８に接触する後述する出力端子（伝送手段）がレンズフード１７に設けられている。これら接続端子１８及び出力端子によってレンズフード１７がレンズ鏡筒４に接続される。
【００２３】
レンズフード１７には、測距センサ９０、調光センサ９２、及びフラッシュ装置９４が備えられており、それぞれレンズフード１７の前側に露呈している。後述するが、測距センサ９０にはコンデンサレンズ、コンデンサレンズからの被写体光を２つに分ける結像レンズ、それぞれの結像レンズからの被写体光を受けるラインセンサが備えられ、コンデンサレンズの像面側に結像レンズが配置され、それぞれの結像レンズの像面側にラインセンサが配置されている。
【００２４】
図３に示すように、レンズフード１７には、調光センサ９２、フラッシュ装置９４、調整機構９５などが備えられている。フラッシュ装置９４には発光体が備えられ、フラッシュ装置９４の駆動はレンズ鏡筒４に備えられた発光制御回路によって制御されている。測距センサ９０、調光センサ９２はレンズ鏡筒４の前面に露呈し、このためユーザの手によって各センサが遮られることはない。
【００２５】
測距センサ９０は、一対の結像レンズ９０ａとこれに対応して配置された一対のラインセンサ９０ｂとを備え、結像レンズ９０ａからの光束を受けてラインセンサ９０ｂからは画素信号が出力される。ラインセンサ９０ｂからの画素信号は信号処理回路９１に入力される。
【００２６】
信号処理回路９１では、ラインセンサ９０ｂからの画素信号を処理して、デジタル化された測距データが形成される。測距データは出力端子９１を介してレンズ鏡筒４側に伝送される。
【００２７】
調整機構９５には、例えば、測距センサ９０をパンさせるためのサーボモータが備えられており、後述する調整回路によってサーボモータの駆動が制御されることにより測距センサ９０の向きが撮影レンズの光軸と垂直な第１方向、及び光軸方向と第１方向とに垂直な第２方向で調整される。測距センサ９０が第１方向及び第２方向でパンされて適正になり、これにより所望の被写体にピントを合わせることが可能となる。
【００２８】
レンズ鏡筒４には、ＣＣＤイメージセンサ２０、アナログ信号処理回路２２、タイミングジェネレータ（ＴＧと省略する）２１、ＳＤＲＡＭ２４、レンズ鏡筒ＣＰＵ２６、デジタル処理回路２８、シリアルインターフェース（以降、シリアルＩ／Ｆという）３３、ＲＯＭ３４、無線通信インターフェース（以降、無線通信Ｉ／Ｆという）３８、ＡＦ演算回路３９、ＡＥ演算回路４０、調光回路４１、制御回路４３、サブバッテリ制御回路４８、及びサブバッテリ５０等が設けられている。
【００２９】
サブバッテリ５０の電力はサブバッテリ制御回路４８によってレンズ鏡筒４の各部に供給される。レンズ鏡筒４がカメラ本体３に装着されているときにはカメラ本体３からの電力がマウントを介してサブバッテリ５０に供給され、サブバッテリ５０からレンズ鏡筒４の各部に供給される。レンズ鏡筒４がカメラ本体３から分離されたときは、レンズ鏡筒４はサブバッテリ５０に蓄えられた電力を基に駆動する。
【００３０】
撮影レンズ４からの光束を光電変換によって電気的な画素信号に変換するＣＣＤイメージセンサ２０は、ＴＧ２１から供給される駆動パルスによって駆動が制御されている。アナログ信号処理回路２２には、相関二重サンプリング回路、増幅8回路、Ａ／Ｄ変換回路等が含まれている。相関二重サンプリング回路で画素信号はＣＣＤイメージセンサ２０のセルごとのＲＧＢアナログ信号に変換され、ＲＧＢアナログ信号は増幅回路で増幅される。ＲＧＢアナログ信号はＡ／Ｄ変換回路でデジタル化されて１画素当たり１２ビットのＲＡＷデータが形成される。形成されたＲＡＷデータはＳＤＲＡＭ２４に一時的に格納される。
【００３１】
デジタル処理回路２８では、ＳＤＲＡＭ２４から読み出された１画面分のＲＡＷデータが圧縮処理されて１画素当たり８ビットの輝度色差データ（以降、ＹＣデータという）が形成される。形成されたＹＣデータはＳＤＡＲＭ２４に一時的に記憶される。
【００３２】
シリアルＩ／Ｆ３３はレンズ鏡筒４がカメラ本体３にマウントされているときに、鏡筒側マウント部１５を介して行われるデータ通信を制御する。また、無線通信Ｉ／Ｆ３８は、カメラ本体３からの接続リクエスト信号を受けて、カメラ本体３との間で接続ネゴシエーションを行い、カメラ本体３との間に無線通信回線を確立する。後述するＳＤＲＡＭ２４に格納されたＹＣデータや画像データはシリアルＩ／Ｆ３３もしくは無線通信Ｉ／Ｆ３８を介してカメラ本体３側に送信される。
【００３３】
ＡＥ演算回路４０は、被写体の輝度を判定し、判定に基づいてシャッタスピードや絞り値などを決定する。被写体の輝度の判定には、ＣＣＤイメージセンサ２０からの画像信号もしくは、調光センサ９２からの輝度信号が用いられる。レンズフード１７の装着時には調光センサ９２からの輝度信号が優先的に利用される。
【００３４】
ＡＦ演算回路３９では、ラインセンサ９０ｂからの画素信号を基に形成された距離データからピントのズレ量（以降、デフォーカス量という）を算出する。算出されたデフォーカス量を基にＡＦモータが駆動され、被写体にピントが合わせられる。
【００３５】
調光回路４１は、レンズフード１７に備えられた調光センサ９２からの輝度信号を基にして被写体の輝度を検知し、検知された被写体の輝度を基にしてフラッシュ装置９４の駆動を制御する。調光回路４１には、第１の閾値及びこの第１の閾値よりも大きな第２の閾値が設定されており、被写体の輝度が第１の閾値以下のときには光量の大きなストロボ光を照射させる。また、被写体の輝度が第１の閾値よりも大きく、かつ第２の閾値以下のときはストロボ光よりも光量の小さな補助光を照射させ、被写体の輝度が第２の閾値よりも大きなときにはフラッシュ装置９４の駆動を停止させる。
【００３６】
ＳＤＲＡＭ２４は、ＹＣデータやラインセンサ９０ｂからの画素信号を基に形成された距離データのほか、測距センサ９０の向きが調整される調整モード時において、ＴＥＬＥ端とＷＩＤＥ端との間の撮影レンズ８の位置情報や被写体に反応したラインセンサ９０ｂの向きに関する情報を初期情報として記憶する。
【００３７】
ＲＯＭ３４は、例えば、不揮発性のメモリであるＥＥＰＲＯＭ（Electrically Erasable Programmable ROM）で構成され、レンズ鏡筒４の型式を示す形式データ、レンズ鏡筒４のシリアルナンバーを示すシリアルナンバーデータ、各種プログラムの他に、ＳＤＲＡＭ２４に記憶された初期情報に対応した調整用データが記憶されている。調整用データは、測距センサ９０を第１方向もしくは第２方向に移動させて向きを調整するためのでものであり、調整モード時にレンズ鏡筒ＣＰＵ２６によって読み出される。
【００３８】
制御回路４３は、調整機構９５の駆動を制御する。制御回路４３では、ＲＯＭ３４から読み出された調整用データを基にして調整機構９５に備えられたサーボモータの駆動量を算出し、算出された駆動量に基づきサーボモータを駆動させて測距センサ９０の向きを調整する。
【００３９】
カメラ本体３には、ストロボ制御回路５３、表示制御回路５４、電子表示器である液晶パネル５５、ＣＰＵ５８、ＲＯＭ６１、ＳＤＲＡＭ６２、メディアコントローラ６４、デジタル処理回路６７、圧縮処理回路６８、通信制御部７３、無線通信Ｉ／Ｆ７４、シリアルＩ／Ｆ７６、マウント検知部７７、バッテリ制御回路８０、バッテリ８２等が備えられている。
【００４０】
ＲＯＭ６１は、例えば不揮発性のフラッシュメモリで構成され、カメラ本体３を制御するための各種プログラムを格納しており、ＣＰＵ５８は適宜ＲＯＭ６１から適当なプログラムを読み出して実行する。なお、ＣＰＵ５８はその他にも記録メディア６５に画像データを書き込むメディアコントローラ６４の制御、液晶パネル５５の駆動を制御する表示制御回路５４の管制等も行っている。
【００４１】
ＣＰＵ５８は、レンズ鏡筒４のＲＯＭ３４にアクセスしてデータを読み出し、読み出されたデータをＳＤＲＡＭ６２に一時的に記憶させる。例えば、レンズ鏡筒４がカメラ本体３に装着されると、ＣＰＵ５８はＲＯＭ３４から、レンズ鏡筒４の型式、シリアルナンバーデータを読み出す。ＲＯＭ３２から読み出されたデータはカメラ本体３のＳＤＲＡＭ６２に書き込まれ、レンズ鏡筒４の形式、シリアルナンバー等が登録され、これによって複数のレンズ鏡筒４を使い分けることが可能となる。
【００４２】
メディアコントローラ６４は、図示しないカードスロットに差し込まれた記録メディア６５にアクセスして、記録メディア６５へのデータの書き込み、及び記録メディア６５からのデータの読み出しを行う。
【００４３】
マウント検知部７７は、レンズ鏡筒４のサブバッテリ５０の電圧を検出し、電圧が検知されたときにはレンズ鏡筒４がカメラ本体３に装着されていると判定し、電圧が検知されないときにはレンズ鏡筒がカメラ本体３から分離していると判定する。
【００４４】
無線通信Ｉ／Ｆ７４は、レンズ鏡筒４側の無線通信Ｉ／Ｆ３８と接続ネゴシエーションを行って無線通信回線を確立する。これにより、レンズ鏡筒４からのＹＣデータ信号の受信が可能となるほか、レンズ鏡筒４に向けて各種コマンド信号を無線送信できるようになる。コマンド信号には、例えば、レンズ鏡筒４に対してＹＣデータの取得を命令する撮影コマンド信号や、レンズフードの向きの調整を命令するコマンド信号などがある。
【００４５】
通信制御部７３は、マウント検知部７７からのマウント検知信号に応じてシリアルＩ／Ｆ７６をオンし、無線通信Ｉ／Ｆ７４をオフする。また、マウント検知部７７によってレンズ鏡筒４のマウントが検知されないときは、シリアルＩ／Ｆ７６をオフし、無線通信Ｉ／Ｆ７４をオンする。通信制御部７３によって無線通信Ｉ／Ｆ７４がオンされると、無線通信Ｉ／Ｆ７４からレンズ鏡筒４に接続リクエスト信号が送信され、無線通信回線が確立される。無線通信回線の確立後、無線通信を介してレンズ鏡筒４からカメラ本体３にデータが送信される。
【００４６】
ストロボ制御回路５３は発光部７の駆動を制御している。マウント検知部７７によってレンズ鏡筒４がカメラ本体３から分離していることが検知されたときや、レンズ鏡筒４のフラッシュ装置９４が優先状態に設定されているときには、ストロボ制御回路５３は発光部７の駆動を禁止する。なお、発光部７の駆動が禁止されると、液晶パネル５５に発光禁止状態であることを示すマークが表示されてユーザに告知される。
【００４７】
表示制御回路５４は、液晶パネル５５に画像を表示する。例えば、モードダイヤル６が撮影モードにセットされているときには、被写体画像が所定のフレームレートで間欠的に更新されるスルー画像を液晶パネル５５に表示させる。また、モードダイヤル６が調整モードに設定されているときには、ラインセンサ９０ｂからの距離データを基にラインセンサの向き調整用の画像を表示する。
【００４８】
次に測距センサ９０の向きの調整について図４〜図７を用いて説明する。図４に示すように、測距センサ９０の向きを調整するとき、ユーザは調整用の被写体１００を所定の距離だけデジタルカメラ２から離して配置する。被写体１００には、例えば、平らな板面上に円形のマーク１００ｂが描かれたものが用いられ、円形マークは黒色に着色されている。モードダイヤル６が調整モードに合わせられると、液晶パネル５５が被写体１００までの距離を設定する設定画面が表示され、ユーザによって被写体１００までの距離が登録される。なお、上記では円形黒色のマークが描かれた板を調製用の被写体として用いたが、コントラストが明瞭な被写体であればよい。
【００４９】
図５に示すように、被写体１００までの距離が設定されると、ＣＣＤイメージセンサ２０からの画素信号を基に形成された被写体画像１１１が液晶パネル５５に表示される。ユーザは、被写体画像１１１が液晶パネル５５の中央に表示された照準マーク１１０に合致するようにデジタルカメラ２を配置させる。
【００５０】
図６に示すように、被写体画像が液晶パネル５５の中心に位置するようにデジタルカメラ２を配置させた後、実行ボタン１１４が押されると、ラインセンサ９０ｂからの画素信号を基に形成された被写体画像１１６、及び調整用画像１１８が液晶パネル５５に表示される。調整用画像１１８の中心には、被写体画像１１６を合わせ込むための中心マーク１２０が表示される。このとき、撮影レンズ８の位置情報、それぞれのラインセンサ９０ｂの向き情報などが初期情報としてＳＤＲＡＭ２４に記憶される。
【００５１】
ユーザが十字操作ボタン１１２を操作することによって被写体画像１１６が中心マーク１２０に合わせられ、この状態で実行ボタン１１４が押されると、ＳＤＲＡＭ２４に記憶された初期値を基にＲＯＭ３４から調整用データが読み出される。ＲＯＭ３４から読み出される調整用データは出荷時に予めＲＯＭ３４に記憶されており、実行ボタン１１４の押圧に応じて読み出されるようになっている。読み出された調整用データを基に制御回路４３でサーボモータの駆動量が算出され、算出された駆動量に基づいてサーボモータが駆動されて測距センサ９０の向きが調整される。なお、被写体画像１１６が中心マーク１２０から外れた状態で実行ボタン１１４が押された場合には、調整画面上での被写体画像１１６と中心マーク１２０との配置を基にしてサーボモータの駆動量が演算されて測距センサ９０の向きが調整され、撮影レンズ８の光軸からずれた位置でピントが合わせられるようになる。
【００５２】
このように、測距センサ９０の向きを調整するための調整画面が液晶パネル上５５に表示されるため、容易に測距センサ９０の向きを調整することができる。また、被写体までの距離に合わせて測距センサ９０の向きを調整することができるため、被写体が遠距離に位置するときや近距離に位置するときにも正確に被写体にピントを合わせることが可能になる。さらに、レンズフード１７が実際にレンズ鏡筒４に装着されてから調整が行われるため、レンズ鏡筒４へのレンズフード１７の装着に誤差が生じた場合でも、確実に被写体にピントを合わせることができる。
【００５３】
なお、レンズフードに紫外線の強度を検知するための紫外線センサを設けてもよい。レンズフードに紫外線センサを設け、レンズ鏡筒に紫外線センサからの測定信号を基にして屋外か屋内かを判定する判定部を設けることで、屋内か屋外かを判定することが可能となり、屋内及び屋外で測距センサの感度の切り替えが可能となる。
【００５４】
また、上述したレンズフード１７の調整はレンズ鏡筒４及びこのレンズ鏡筒４に装着されたレンズフード１７がカメラ本体３から分離した状態でも実行することができる。ＣＣＤイメージセンサ２０からの画素信号を基に形成されたＹＣデータやラインセンサ９０ｂからの画素信号を基に形成された画像データ等は無線通信Ｉ／Ｆ３８、７４を介してレンズ鏡筒４からカメラ本体３に送信される。カメラ本体３の液晶パネル５５上に表示された調整画面上での調整操作が終了し、ユーザによって実行ボタンが押されたときには、調整実行信号がカメラ本体３からレンズ鏡筒４に送信され、これに応じて調整機構９５は測距センサ９０の向きを調整する。以上のように、カメラ本体３からレンズ鏡筒４が分離されている場合でも測距センサ９０の向きを調整することができ、利便性の高いデジタルカメラを提供することができる。
【００５５】
また、上記の実施形態では被写体の静止画を主に撮影するデジタルカメラを例示したが、本発明はこれに限らず、動画を主に撮影するビデオカメラなどに適用してもよい。
【００５６】
また、上記の実施形態では伝送手段として出力端子を例示したが、距離データを伝送するための伝送手段はこれに限らず、距離データを変調して伝送信号を形成する変調部と伝送信号を送信するアンテナとを有する無線通信インターフェースでもよい。
【図面の簡単な説明】
【００５７】
【図１】本発明のデジタルカメラを前から観察した斜視図である。
【図２】レンズフード、レンズ鏡筒、カメラ本体をそれぞれ分離させた斜視図である。
【図３】デジタルカメラ全体のブロック図である。
【図４】測距センサの配置を調整する際の全体図である。
【図５】測距センサの配置を調整するための調整画面が表示された液晶パネルを観察した説明図である。
【図６】調整画面を用いて測距センサの向きを調整する説明図である。
【図７】測距センサの向きを調整するときの手順を示したフローチャートである。
【符号の説明】
【００５８】
２  デジタルカメラ（カメラ）
３  カメラ本体
４  レンズ鏡筒
１２  カメラボディ側マウント部
１５  鏡筒側マウント部
１７  レンズフード
２０  ＣＣＤイメージセンサ
２４  ＳＤＲＡＭ
２６  レンズ鏡筒ＣＰＵ
３５  ＲＯＭ
３８  無線通信Ｉ／Ｆ
４３  制御回路
５５  液晶パネル
７４  無線通信Ｉ／Ｆ
９０  測距センサ
９１  出力端子（伝送手段）
９２  調光センサ
９４  フラッシュ装置
９５  調整機構
１１２  十字操作ボタン
１１４  実行ボタン
【図１】
2007171505.tif 000003
【図２】
2007171505.tif 000004
【図３】
2007171505.tif 000005
【図４】
2007171505.tif 000006
【図５】
2007171505.tif 000007
【図６】
2007171505.tif 000008
【図７】
2007171505.tif 000009